(57)【要約】【課題】  １つの照明装置によって使用者の化粧時の作業性の向上と空間の美観を良くするという２つの目的を達成することが可能な洗面化粧台を提供すること。【解決手段】  洗面ボウルが設けられているカウンターと、前記カウンターの奥側上方に立設されている鏡とを備える洗面化粧台であって、前記カウンターの奥側上方には収納部が設けられており、前記収納部は蓋と照明装置を備え、前記蓋を開けた場合には、前記照明装置は前記洗面化粧台の前に位置する使用者を直接照らすように、且つ前記蓋を閉じた場合には、前記洗面化粧台の前に位置する使用者から前記照明装置の一部が隠蔽された状態で前記カウンター側を照らすように設けられていることを特徴とする洗面化粧台。【選択図】  図３
2009082486.tif 000002
【特許請求の範囲】
【請求項１】
洗面ボウルが設けられているカウンターと、前記カウンターの奥側上方に立設されている鏡とを備える洗面化粧台であって、
前記カウンターの奥側上方には収納部が設けられており、
前記収納部は蓋と照明装置を備え、
前記蓋を開けた場合には、前記照明装置は前記洗面化粧台の前に位置する使用者を直接照らすように、
且つ前記蓋を閉じた場合には、前記洗面化粧台の前に位置する使用者から前記照明装置の一部が隠蔽された状態で前記カウンター側を照らすように設けられていることを特徴とする洗面化粧台。
【請求項２】
前記照明装置の下部には、前記照明装置からの光を拡散させるための拡散部が設けられており、
前記蓋を閉じた場合には前記拡散部によって拡散された光によって、前記カウンター側を照らすことを特徴とする請求項１に記載の洗面化粧台。
【発明の詳細な説明】
【技術分野】
【０００１】
本発明は、照明装置を有する洗面化粧台に関する。
【背景技術】
【０００２】
洗面ボウルが取り付けられたカウンターと、カウンターの奥側に設けられた鏡とを備える洗面化粧台は広く用いられている。そのような洗面化粧台において、照明装置に着目して様々な提案がなされている（例えば、下記特許文献１参照）。下記特許文献１に記載されている洗面化粧台は、ミラーの下端近傍の高さ位置に設けられた半透明棚（５）と、半透明棚の内側に設けられた照明部とを備えている。
【特許文献１】特開２００６−６８１８号公報
【発明の開示】
【発明が解決しようとする課題】
【０００３】
上記特許文献１に記載されている洗面化粧台は、洗面ボールの上方に設けられたミラーの下端近傍の高さ位置に半透明棚が設けられ、この半透明棚の内側に照明部が設けられている。したがって、半透明棚を介した照明部からの間接照明により、ミラーに正対した人の顔を下からも照らすことができ、顔に陰が形成されることなく、的確な顔の化粧をすることを可能にしている。
【０００４】
ところで、今日、洗面化粧台やキャビネットにおいて、間接照明を設けることで設置空間の美観を良くするというものがある。上記特許文献１に記載されている洗面化粧台のような構成とした場合、あくまで顔に陰を形成しないことを目的とした間接照明であることから、どうしても別途通常の照明を設ける必要があった。また、人の顔に陰を形成しないような光では、設置空間の美観を良くするという意味での間接照明としては強すぎるという問題点もあった。
【０００５】
そこで本発明では、１つの照明装置によって使用者の化粧時の作業性の向上と空間の美観を良くするという２つの目的を達成することが可能な洗面化粧台を提供することを目的とする。
【課題を解決するための手段】
【０００６】
上記課題を解決するために本発明に係る洗面化粧台は、洗面ボウルが設けられているカウンターと、前記カウンターの奥側上方に立設されている鏡とを備える洗面化粧台であって、前記カウンターの奥側上方には収納部が設けられており、前記収納部は蓋と照明装置を備え、前記蓋を開けた場合に、前記照明装置は前記洗面化粧台の前に位置する使用者を直接照らすように、且つ前記蓋を閉じた場合には、前記洗面化粧台の前に位置する使用者から前記照明装置の一部が隠蔽されるように設けられていることを特徴としている。
【発明の効果】
【０００７】
本発明によれば、１つの照明装置によって使用者の化粧時の作業性の向上と空間の美観を良くするという２つの目的を達成することができる。
【発明を実施するための最良の形態】
【０００８】
本発明を実施するための最良の形態を説明するのに先立って、本発明の作用及び効果について説明する。
【０００９】
本発明に係る洗面化粧台は、洗面ボウルが設けられているカウンターと、前記カウンターの奥側上方に立設されている鏡とを備える洗面化粧台であって、前記カウンターの奥側上方には収納部が設けられており、前記収納部は蓋と照明装置を備え、前記蓋を開けた場合に、前記照明装置は前記洗面化粧台の前に位置する使用者を直接照らすように、且つ前記蓋を閉じた場合には、前記洗面化粧台の前に位置する使用者から前記照明装置の一部が隠蔽されるように設けられている。
【００１０】
本発明に係る洗面化粧台では、カウンターの奥側に収納部が設けられているため、カウンターを利用した化粧作業を行う際、作業に必要な物品を収納部に入れておくことで、化粧作業時に簡単に必要な物品を取り出すことができる。また、前記収納部が照明装置を備えているため、使用者は化粧作業中において、下方から照らされることによって顔に陰を形成しない状態で化粧作業を行うことができる。
【００１１】
また本発明に係る洗面化粧台は、収納部に蓋が設けられており、蓋が開いた状態すなわち化粧作業を行っている際においては、使用者から照明装置が露出した状態となり、直接光が当たって顔に陰を形成せず、良好な状況で化粧作業を行うことができる。また、蓋を閉じた状態においては使用者側から直接照明が見えない状態、すなわち間接照明となり必要以上に強い光を発することなく、カウンター側を照らすことができる。このような構成とすることで、洗面化粧台を直接利用していない状態や洗顔などを行っている場合、すなわち強い光を必要としない状態においては、演出照明のような状態でカウンター側を照らすため、洗面空間、および洗面化粧台の美観が向上する。
【００１２】
更に、本発明に係る洗面化粧台において照明装置の下部には、照明装置からの光を拡散させるための拡散部材が設けられており、蓋を閉じた場合には拡散部材によって拡散された光によって、カウンター側を照らすように形成することも好ましい。このような構成とすることで、蓋を閉めた状態においては拡散部材によって拡散された光が、間接照明として発せられ、美観は更に向上することとなる。
【００１３】
引き続いて、上記本発明を実施するための最良の形態について、添付図面を参照しながら説明する。説明の理解を容易にするため、各図面において同一の構成要素に対しては可能な限り同一の符号を付して、重複する説明は省略する。
【００１４】
図１は、本実施形態に係る洗面化粧台ＤＲを示す斜視図である。洗面化粧台ＤＲは、カウンター１０と、鏡２０と、洗面ボウル３０と、キャビネット４０とを備えている。カウンター１０は、長辺側端部１０ａと、短辺側端部１０ｂとを有しており、長辺側端部１０ａから短辺側端部１０ｂに向けて奥行きが徐々に狭まるように構成されている。カウンター１０の、鏡２０に向かって中心よりもやや長辺側端部側に、洗面ボウル３０が設けられている。カウンター１０は、キャビネット４０に載置されており、キャビネット４０によって支えられている。
【００１５】
本実施形態の場合、キャビネット４０は、洗面化粧台ＤＲが設置される壁面に取り付けられている。キャビネット４０は、上方が開放した引出収納部４１を備えており、引出収納部４１の下方には椅子４２が配置されている。
【００１６】
カウンター１０の奥側上方には、鏡２０が立設されている。鏡２０は、一枚鏡であって、カウンター１０の全幅に渡って配置されている。本実施形態の場合、鏡２０は、洗面化粧台ＤＲが設置される壁面に取り付けられている。
【００１７】
カウンター１０の奥側上方且つ鏡２０の手前側には、カウンター１０の上面よりも上方に延出するように、収納部である隠蔽収納部５０が設けられている。隠蔽収納部５０は、その内部に収納された物品が少なくとも明瞭には視認できないように半透明又は不透明な部材で形成されている。「明瞭には視認できない」とは、内部に収納されている物品の形状や色彩や模様が明確に視認できない程度を示している。従って、ぼんやりと輪郭が認識できたり、赤色系の色のラベルが貼ってあることが認識できたりすることも「明瞭には視認できない」ものとして考えている。
【００１８】
隠蔽収納部５０は、カウンター１０の奥側の辺に沿って設けられており、その辺に沿って、隠蔽収納部５１、隠蔽収納部５２、隠蔽収納部５３、隠蔽収納部５４の４つの収納部に分割されている。
【００１９】
図２に、引出収納部４１を引き出し、隠蔽収納部５０を開いた状態を示す。カウンター１０の洗面ボウル３０よりも右側の部分、則ち洗面ボウル３０の奥行きよりも狭くなっている部分は、化粧用領域１１となっている。化粧用領域１１は、上方の開放された引出収納部４１に配置された物品が視認可能なように透明な部材で形成されている。従って、使用者は、椅子４２を引き出して着座すると、引出収納部４１を引き出さなくても、その中に収納されている物品を確認しながら化粧等の作業を行うことができる。
【００２０】
また、隠蔽収納部５０を開くと、洗面化粧台DRの前で椅子４２に着座している使用者から隠蔽収納部５０に収納されている物品が明瞭に視認可能なように構成されている。従って、使用者は、洗面化粧台DRの前に椅子４２を引き出して着座した際、隠蔽収納部５０を開くことにより、その中に収納されている物品を確認しながら化粧を行うことができる。
【００２１】
引き続いて、隠蔽収納部５０について、４つの収納部の内、隠蔽収納部５１を例にとってより詳細に説明する。図３は、図１及び図２に示した隠蔽収納部５１の断面（カウンター１０の手間から奥に向かう方向に沿った断面）を模式的に示した図である。
【００２２】
図３に示すように、隠蔽収納部５１は、収納体５１０と、蓋部５１１とを備えている。収納体５１０は、箱状の収納部であって、鏡２０に沿った後壁部５１０ａと、カウンター１０の手前側に立設される前壁部５１０ｂと、後壁部５１０ａと前壁部５１０ｂとを繋ぐ側壁部５１０ｃと、を有している。前壁部５１０ｂは、後壁部５１０ａよりも高さが低くなるように形成されている。従って、側壁部５１０ｃは、前壁部５１０ｂから後壁部５１０ａに向かって徐々に高さが高くなるように形成されている。
【００２３】
蓋部５１１は、収納体５１０内に収納された物品が少なくとも明瞭には視認できないように半透明又は不透明な部材で形成されている。蓋部５１１は、収納体５１０の後壁部５１０ａから側壁部５１０ｃに沿って傾斜しており、前壁部５１０ｂに沿ってカウンター１０側に延びている。蓋部５１１は、後壁部５１０ａの上端に取り付けられている回転軸５１２周りに回転して、開閉可能なように構成されている。
【００２４】
従って、蓋部５１１を閉じておくと、蓋部５１１が半透明または不透明な部材で形成されているため、収納体５１０内に収納されている化粧瓶や化粧用品を明瞭には視認できない状態で収納しておくことができる。一方、蓋部５１１を開くと、収納体５１０内に収納されている化粧瓶や化粧用品を視認することができる。特に、収納体５１０は前壁部５１０ｂの高さが低く形成されているので、カウンター１０の前に着座している使用者にとっても容易に化粧瓶や化粧用品を視認することができる。また、蓋部５１１を開いた状態において、蓋部５１１は前壁部５１０ｂよりも奥側に位置する、則ち隠蔽収納部５１の前縁よりもカウンター１０側に延出しない。これにより、隠蔽収納部５１を利用している際においても、化粧用領域１１を狭くすることはないため、隠蔽収納部５１と化粧用領域１１の両方を同時に活用することができる。
【００２５】
収納体５１０の前壁部５１０ｂがカウンター１０と当接する部分の近傍には、照明装置５１０ｄが設けられている。また、照明装置５１０ｄの下方であり、カウンター１０が前壁部５１０ｂと当接する部分には拡散部１１１が設けられている。照明装置５１０ｄは、蛍光灯やＬＥＤといった発光要素を含む装置である。拡散部１１１は、不透明な部材で構成されており、照明装置５１０ｄから出射された光を拡散して、カウンター１０と隠蔽収納部５１との間を発光するように構成されている。
【００２６】
照明装置５１０ｄは、図４に示すように、蓋部５１１と収納体５１０の前壁部５１０ｂとの間に設けられていることも好ましい。この位置に設ける場合に、蓋部５１１側に照明装置５１０ｄを設ければ、蓋部５１１を開いた際に収納体５１０の内部を照らすように構成することも可能である。
【００２７】
このような構成とすることで、蓋部５１１を開いた状態においては、使用者から見て照明装置５１０ｄが露出した状態となるため、直接カウンター１０側を照らすことが出来る。化粧作業を行う際には、使用者はまずカウンター１０の前に着座し、隠蔽収納部５１に収納された化粧時に必要な物品を取り出して化粧を行う。すなわち化粧をする際、隠蔽収納部５１の蓋部５１１は開いた状態となる。その場合、照明装置５１０ｄから発せられる直接的な光は、使用者を下方より照らすこととなる。そのため、化粧作業時において、使用者の顔に陰が形成されることを防止することができ、良好な状況で化粧作業を行うことができる。
【００２８】
また、蓋部５１１を閉じた状態においては、照明装置５１０ｄは蓋部５１１に隠蔽され、使用者から見えないような構成となっている。本実施例においては、蓋部５１１を閉じた際、照明装置５１０ｄは、カウンター１０よりも上方で、且つ正面から見た際に蓋部５１１の裏側に位置し、正面から見た際には蓋部５１１によって隠蔽されている構成となっている。その際、照明装置５１０ｄから発せられる光は、照明装置５１０ｄの下部に設けられた拡散部１１１によって拡散され、カウンター１０と隠蔽収納部５１との間から発光し、カウンター１０側を照らす。すなわち、照明装置５１０ｄから発せられた光が、間接照明としてカウンター１０側を照らすこととなる。このような構成とすることで、洗面空間、および洗面化粧台DRの美観が向上する。
【図面の簡単な説明】
【００２９】
【図１】本実施形態に係る洗面化粧台を示す斜視図である。
【図２】図１の隠蔽収納部や引出収納部を開いた状態を示す斜視図である。
【図３】隠蔽収納部を説明するための図である。
【図４】隠蔽収納部を説明するための図である。
【符号の説明】
【００３０】
ＤＲ…洗面化粧台、１０…カウンター、２０…鏡、３０…洗面ボウル、４０…キャビネット、４１…引出収納部、４２…椅子、５０，５１，５２，５３，５４…隠蔽収納部。
【図１】
2009082486.tif 000003
【図２】
2009082486.tif 000004
【図３】
2009082486.tif 000005
【図４】
2009082486.tif 000006